(57)【要約】【課題】カメラの向きを用途に応じて自由に調整することができ、しかも、構造が簡単で部品点数も少なくて済み、コストを低減できる電子機器を得ることにある。【解決手段】電子機器は、筐体、表示モジュール、カメラおよびホルダーを具備している。筐体は、開口部が設けられた第１の面を有する第１のカバーと、第１のカバーと組み合された第２のカバーと、を備えている。表示モジュールは、筐体に収容されているとともに開口部から露出された表示画面を有する。カメラは、第１のカバーと第２のカバーとで覆われるように筐体に収容されて、筐体の第１の面から筐体の外を撮像する。カメラは、ホルダーに固定されている。ホルダーは、表示モジュールの周囲で表示モジュールに向けて傾く第１の位置と、表示モジュールから遠ざかる方向に傾く第２の位置との間で回動可能に筐体に支持されている。筐体の第１の面にレバー部が設けられている。レバー部は、カメラが少なくとも表示モジュールの方向を向くようにホルダーを回動させる。【選択図】図４
2015038655.tif 000002
【特許請求の範囲】
【請求項１】
開口部が設けられた第１の面を有する第１のカバーと、前記第１のカバーと組み合された第２のカバーと、を含む筐体と、
前記筐体に収容され、前記開口部から露出された表示画面を有する表示モジュールと、
前記筐体に収容され、前記第１のカバーと前記第２のカバーとで覆われるとともに、前記筐体の前記第１の面から前記筐体の外を撮像するカメラと、
前記カメラが固定され、前記表示モジュールの周囲で前記表示モジュールに向けて傾く第１の位置と、前記表示モジュールから遠ざかる方向に傾く第２の位置との間で回動可能に前記筐体に支持されたホルダーと、
前記筐体の前記第１の面に設けられ、前記カメラが少なくとも前記表示モジュールの方向を向くように前記ホルダーを回動させるレバー部と、
を具備する電子機器。
【請求項２】
請求項１の記載において、前記レバー部は、前記ホルダーに設けられているとともに、前記レバー部の先端が前記第１のカバーを貫通して前記第１の面の外に露出された電子機器。
【請求項３】
請求項２の記載において、前記筐体は、前記ホルダーの回動支点となる軸を支える支持部を有し、前記軸と前記支持部との間に、前記ホルダーの自由な回動を制限する軸受部材が介在された電子機器。
【請求項４】
請求項３の記載において、前記支持部は、前記第２のカバーの内面から前記第１のカバーに向けて突出され、前記支持部の突出端部に前記軸受部材が嵌まるように前記第１のカバーに向けて開口された嵌合孔が設けられ、前記嵌合孔に嵌合された前記軸受部材は、前記第１のカバーと前記第２のカバーとを互いに組み合わせた時に、前記第１のカバーで前記嵌合孔に保持された電子機器。
【請求項５】
請求項３の記載において、前記カメラは、撮像時の視野を定めるレンズが露出された前面を有し、前記カメラの前記前面が前記第１のカバーの前記第１の面よりも前記筐体の内側に引っ込んだ電子機器。
【請求項６】
請求項５の記載において、前記ホルダーは、前記カメラが固定されたベース板を有し、前記ホルダーの前記軸は、前記ベース板よりも前記カメラの前記前面の方向にずれた電子機器。
【請求項７】
第１の筐体と、
表示画面を有し、前記表示画面が前記第１の筐体で覆われる第１の回動位置と、前記表示画面が露出される第２の回動位置との間で回動可能に前記第１の筐体に接続された第２の筐体であって、前記表示画面を露出させる開口部が設けられた第１の面を有する第１のカバーと、前記第１のカバーと組み合された第２のカバーと、を含む第２の筐体と、
前記第２の筐体に収容され、前記第１のカバーと前記第２のカバーとで覆われるとともに、前記第１の面から前記筐体の外を撮像するカメラと、
前記第２の筐体の前記第１の面に設けられ、前記カメラが少なくとも前記表示画面の方向を向くように前記カメラの向きを変更する操作部と、
を具備する電子機器。
【請求項８】
第１の開口部および第２の開口部が設けられた筐体と、
前記筐体に収容され、前記第１の開口部から露出された表示画面を有する表示装置と、
前記筐体に収容され、前記第２の開口部を介して前記筐体の外の情報を取得する情報取得装置と、
前記筐体の外に突出され、前記情報取得装置が少なくとも前記表示装置の方向を向くように前記情報取得装置の位置を上記筐体の外から操作可能な突出部と、
を具備した電子機器。
【請求項９】
請求項８の記載において、前記筐体は、前記第１の開口部および前記第２の開口部が開口された面を有する電子機器。
【発明の詳細な説明】
【技術分野】
【０００１】
本発明の実施形態は、カメラを搭載した電子機器に関する。
【背景技術】
【０００２】
ポータブルコンピュータのような電子機器では、例えばインターネットを利用したテレビ電話に用いるカメラを搭載することがある。カメラは、電子機器を操作するユーザの顔を撮影し得るように、画像や映像を表示する表示画面の周囲に配置されている。
【０００３】
従来の電子機器によると、カメラは、前面レンズを含む光学系が表示画面と同じ方向を向くように電子機器の筐体に固定されている。
【先行技術文献】
【特許文献】
【０００４】
【特許文献１】特開２００１−１４０６０号公報
【発明の概要】
【発明が解決しようとする課題】
【０００５】
従来の電子機器では、カメラが表示画面の中央部からずれている。このため、表示画面の中央部にカメラが撮像したユーザの顔を映し出すためには、ユーザの顔がカメラの正面に位置するように電子機器を移動させるか、あるいはユーザ自身が顔の位置をカメラの正面に移す必要がある。
【０００６】
したがって、電子機器に搭載されたカメラでユーザの顔を映す時の操作性を改善したいといった要求がある。
【０００７】
本発明の目的は、カメラの向きを用途に応じて自由に変更することができ、しかも、構造が簡単で部品点数も少なくて済み、コストを低減できる電子機器を得ることにある。
【課題を解決するための手段】
【０００８】
実施形態によれば、電子機器は、筐体、表示モジュール、カメラおよびホルダーを具備している。筐体は、開口部が設けられた第１の面を有する第１のカバーと、第１のカバーと組み合された第２のカバーと、を備えている。表示モジュールは、筐体に収容されているとともに開口部から露出された表示画面を有する。カメラは、第１のカバーと第２のカバーとで覆われるように筐体に収容されて、筐体の第１の面から筐体の外を撮像する。カメラは、ホルダーに固定されている。ホルダーは、表示モジュールの周囲で表示モジュールに向けて傾く第１の位置と、表示モジュールから遠ざかる方向に傾く第２の位置との間で回動可能に筐体に支持されている。筐体の第１の面にレバー部が設けられている。レバー部は、カメラが少なくとも表示モジュールの方向を向くようにホルダーを回動させる。
【図面の簡単な説明】
【０００９】
【図１】第１の実施形態に係る電子機器の斜視図。
【図２】第１の実施形態において、カメラが表示モジュールの表示画面と同じ方向を向いた状態を示す電子機器の断面図。
【図３】第１の実施形態において、カメラが表示モジュールの表示画面と同じ方向を向いた時のレバー部とカメラとの位置関係を示す斜視図。
【図４】第１の実施形態において、カメラが表示モジュールの方向に傾いた状態を示す電子機器の断面図。
【図５】第１の実施形態において、カメラが表示モジュールの方向に傾いた時のレバー部とカメラとの位置関係を示す斜視図。
【図６】第１の実施形態において、カメラモジュールを筐体に組み込む構造を分解して示す斜視図。
【図７】第１の実施形態において、カメラホルダーに制動力を付与する軸受部材をディスプレイマスクで押えた状態を一部断面で示す電子機器の斜視図。
【図８】第１の実施形態において、ディスプレイカバーの内面に設けられたカメラ実装領域を示す斜視図。
【図９】第１の実施形態において、第１の支持部の嵌合孔に軸受部材を取り付けた状態を示す斜視図。
【図１０】第１の実施形態において、ディスプレイカバーのカメラ実装領域にカメラホルダーを取り付けた状態を示す斜視図。
【図１１】第１の実施形態において、カメラホルダーにカメラモジュールを固定した状態を示す斜視図。
【図１２】第１の実施形態において、ディスプレイマスクにカメラパネルを取り付けた状態を示す斜視図。
【図１３】第２の実施形態に係る電子機器の斜視図。
【図１４】図１３のＦ１４の箇所を拡大して示す斜視図。
【図１５】第２の実施形態において、カメラ実装領域にカメラモジュールを組み込んだ状態を示す電子機器の斜視図。
【発明を実施するための形態】
【００１０】
［第１の実施形態］
以下、第１の実施形態について、図１ないし図１２を参照して説明する。
【００１１】
図１は、電子機器の一例であるノート型のポータブルコンピュータ１を開示している。ポータブルコンピュータ１は、機器本体２と、機器本体２に支持された表示部３とで構成されている。
【００１２】
機器本体２は、第１の筐体４を備えている。第１の筐体４は、四角い箱形であり、例えばＣＰＵが実装されたマザーボードおよびハードディスク駆動装置のような主要な構成要素を収容している。
【００１３】
第１の筐体４は、上面４ａを有している。上面４ａは、フラットなパームレスト５とキーボード取り付け部６とを備えている。パームレスト５は、上面４ａの前半部において第１の筐体４の幅方向に延びている。キーボード取り付け部６は、パームレスト５よりも凹んだ四角い窪みであり、パームレスト５の背後に位置されている。キーボード７がキーボード取り付け部６に設置されている。キーボード７は、パームレスト５に連続するように第１の筐体４の上面４ａに露出されている。
【００１４】
表示部３は、第２の筐体１０と表示モジュール１１とを備えている。第２の筐体１０は、第１の筐体４と略同じ大きさの四角い箱形であり、前壁１２、後壁１３および周壁１４を有している。
【００１５】
本実施形態によると、第２の筐体１０は、前壁１２を含むディスプレイマスク１６と、後壁１３を含むディスプレイカバー１７とで構成されている。ディスプレイマスク１６は、第１のカバーの一例であり、四角い第１の開口部１８が設けられた前面１９を有している。前面１９は、第１の面の一例であり、第１の開口部１８を取り囲む額縁２０を構成している。
【００１６】
ディスプレイカバー１７は、第２のカバーの一例であって、ディスプレイマスク１６と組み合わされている。ディスプレイカバー１７の後壁１３は、ディスプレイマスク１６の前壁１２および第１の開口部１８の反対側に位置されている。
【００１７】
表示装置としての表示モジュール１１は、第２の筐体１０に収容されている。表示モジュール１１は、画像や映像を表示するフラットな表示画面２１を有している。表示画面２１は、ディスプレイマスク１６の第１の開口部１８から表示部３の外に露出されている。
【００１８】
図１に示すように、一対のヒンジ部２２ａ，２２ｂが第２の筐体１０の一端に形成されている。ヒンジ部２２ａ，２２ｂは、第１の筐体４の後端部に図示しないヒンジを介して接続されている。
【００１９】
このため、表示部３は、ヒンジ部２２ａ，２２ｂを支点に第１の回動位置と第２の回動位置との間で回動可能となっている。第１の回動位置では、表示部３は、表示画面２１が第１の筐体４で覆われるように機器本体２の上に横たわる。第２の回動位置では、表示部３は、パームレスト５、キーボード７および表示画面２１を露出させるように機器本体２の後端部から起立する。
【００２０】
表示部３の起立角度αは、ポータブルコンピュータ１を操作するユーザの好みに応じて自由に設定することができる。これに伴い、表示画面２１の向きも表示部３の起立角度αに対応して微妙に変化する。
【００２１】
図１に示すように、表示画面２１を取り囲む第２の筐体１０の額縁２０は、第１ないし第４の縁部２０ａ、２０ｂ、２０ｃ、２０ｄを有している。第１の縁部２０ａは、表示部３が第２の回動位置に回動された時に、表示画面２１の上側で表示画面２１の幅方向に延びている。第２の縁部２０ｂは、表示部３が第２の回動位置に回動された時に、表示画面２１の右側で表示画面２１の高さ方向に延びている。第３の縁部２０ｃは、表示部３が第２の回動位置に回動された時に、表示画面２１の左側で表示画面２１の高さ方向に延びている。第４の縁部２０ｄは、表示部３が第２の回動位置に回動された時に、表示画面２１の下側で表示画面２１の幅方向に延びている。
【００２２】
図１および図２に示すように、複数の第１のゴムクッション２３が額縁２０の第１の縁部２０ａに接着されている。第１のゴムクッション２３は、第１の縁部２０ａから僅かに張り出しているとともに、第１の縁部２０ａの長さ方向に間隔を存して一列に並んでいる。
【００２３】
第１のゴムクッション２３は、表示部３が第２の回動位置から第１の回動位置に回動された時にパームレスト５の前端部に突き当たる。これにより、表示部３に加わる衝撃が緩和されるとともに、ディスプレイマスク１６の前面１９とパームレスト５との間に僅かな隙間が確保される。
【００２４】
図２、図４および図６に示すように、カメラ実装領域２４が第２の筐体１０の内部に設けられている。カメラ実装領域２４は、額縁２０の第１の縁部２０ａとディスプレイカバー１７の後壁１３との間に位置されているとともに、表示モジュール１１の幅方向に沿う中央部に位置されている。
【００２５】
図６に示すように、第１および第２の支持部２５ａ，２５ｂがカメラ実装領域２４に設けられている。第１および第２の支持部２５ａ，２５ｂは、カメラ実装領域２４に対応する後壁１３の内面からディスプレイマスク１６に向けて突出されているとともに、ディスプレイカバー１７の幅方向に互いに離れている。
【００２６】
第１および第２の支持部２５ａ，２５ｂは、夫々円形の嵌合孔２６ａ，２６ｂを有している。嵌合孔２６ａ，２６ｂは、ディスプレイカバー１７の幅方向に同軸状に並んでいる。第１の支持部２５ａの嵌合孔２６ａは、第１の支持部２５ａの突出端部に開口されたスリット状の導入部２７ａを有している。同様に、第２の支持部２５ｂの嵌合孔２６ｂは、第２の支持部２５ｂの突出端部に開口されたスリット状の導入部２７ｂを有している。第１の支持部２５ａの嵌合孔２６ａは、第２の支持部２５ｂの嵌合孔２６ｂよりも口径が大きく形成されている。
【００２７】
図６に示すように、円筒状の軸受部材３０が第１の支持部２５ａの嵌合孔２６ａに取り付けられている。軸受部材３０は、例えば金属よりも摩擦係数の大きいゴム状弾性体で構成され、嵌合孔２６ａに動かないようにしっかりと嵌め込まれている。それとともに、軸受部材３０の外周面の一部は、導入部２７ａから第１の支持部２５ａの外に露出されている。
【００２８】
第１の支持部２５ａと第２の支持部２５ｂとの間にカメラホルダー３１が配置されている。カメラホルダー３１は、ディスプレイカバー１７の幅方向に延びる細長いベース板３２を備えている。一対のピン状の突起３３および複数の係合爪３４がベース板３２に形成されている。突起３３は、ベース板３２の長手方向に互いに離れている。係合爪３４は、ベース板３２の長手方向に沿う一対の側縁から突出されている。
【００２９】
第１の軸支持部３５ａがベース板３２の長手方向に沿う一端に形成されている。第２の軸支持部３５ｂがベース板３２の長手方向に沿う他端に形成されている。第１および第２の軸支持部３５ａ，３５ｂは、互いに向かい合うようにベース板３２から立ち上げられている。
【００３０】
第１の軸支持部３５ａは、第１の軸３６ａを有している。同様に、第２の軸支持部３５ｂは、第２の軸３６ｂを有している。第１の軸３６ａおよび第２の軸３６ｂは、ディスプレイカバー１７の幅方向に沿って水平に延びているとともに、互いに同軸状に並んでいる。
【００３１】
第１の軸３６ａは、第１の支持部２５ａに保持された軸受部材３０の内側にしっかりと嵌め込まれている。このため、軸受部材３０は、第１の支持部２５ａの嵌合孔２６ａと第１の軸３６ａとの間に圧縮状態で介在されて、第１の支持部２５ａに対する第１の軸３６ａの自由な回転を制限している。言い換えると、軸受部材３０は、第１の軸３６ａを弾性的に締め付けることで、第１の軸３６ａに軸回り方向に沿う制動力を付与している。
【００３２】
第２の軸３６ｂは、第２の支持部２５ｂの導入部２７ｂから嵌合孔２６ｂに導かれて、嵌合孔２６ｂに回動可能に支持されている。
【００３３】
したがって、カメラホルダー３１は、カメラ実装領域２４で表示モジュール１１に向けて傾く第１の位置と、表示モジュール１１から遠ざかる方向に傾く第２の位置との間で回動可能にディスプレイカバー１７に支持されている。
【００３４】
具体的には、表示部３が第２の回動位置に回動された状態において、カメラホルダー３１は、水平方向に延びる第１および第２の軸３６ａ，３６ｂを中心として上下方向に回動可能となっている。
【００３５】
本実施形態によると、カメラホルダー３１の第１の軸支持部３５ａにレバー部３７が一体に形成されている。レバー部３７は、操作部の一例であって、第１の軸支持部３５ａの先端からベース板３２の反対側に向けて突出されている。このため、レバー部３７は突出部と言い換えることができる。
【００３６】
レバー部３７は、第１および第２の軸３６ａ，３６ｂを中心とする円弧を描くように動かすことができる。このレバー部３７の動きに追従して、カメラホルダー３１が第１の位置と第２の位置との間で回動する。
【００３７】
図２、図４および図６に示すように、カメラモジュール３８がカメラホルダー３１のベース板３２に取り付けられている。カメラモジュール３８は、カメラ実装領域２４に収容されて、ディスプレイマスク１６とディスプレイカバー１７とで覆い隠されている。
【００３８】
カメラモジュール３８は、モジュール基板３９、カメラ４０、複数の回路部品４１、発光ダイオード４２およびコネクタ４３を有している。
【００３９】
モジュール基板３９は、ベース板３２に沿って延びているとともに、第１の軸支持部３５ａと第２の軸支持部３５ｂとの間に介在されている。ベース板３２の係合爪３４は、モジュール基板３９の周縁部に引っ掛かっている。ベース板３２の突起３３は、モジュール基板３９に設けられた一対の通孔４４に嵌まり込んでいる。これにより、モジュール基板３９がベース板３２の上の所定の位置に保持されて、カメラホルダー３１と一体に回動するようになっている。
【００４０】
さらに、モジュール基板３９は、ベース板３２の反対側に位置された実装面４６を有している。実装面４６は、ディスプレイマスク１６の額縁２０を構成する第１の縁部２０ａと向かい合っている。
【００４１】
ベース板３２に対するモジュール基板３９の保持の仕方は、第１の実施形態に限定されるものではない。例えば、モジュール基板３９をベース板３２に対し両面接着テープを介して固定するようにしてもよい。
【００４２】
カメラ４０は、実装面４６の長手方向に沿う一端に半田付け等の手段により固定されている。カメラ４０は、表示部３が第２の回動位置に回動された時に、表示画面２１の上側であり、かつ表示画面２１の中心を横切って表示画面２１の高さ方向に延びる中心線ＣＬの上に位置されている。
【００４３】
図２および図４に示すように、カメラ４０は、撮像時の視野を定める前面レンズ４７と、前面レンズ４７を通過した光を受けるセンサ４８とを有している。前面レンズ４７は、実装面４６から離れたカメラ４０の前面４０ａに露出されている。カメラ４０の前面４０ａは、ディスプレイマスク１６の第１の縁部２０ａよりも第２の筐体１０の内側に引っ込んでいる。
【００４４】
さらに、前面レンズ４７は、カメラホルダー３１の回動支点となる第１および第２の軸３６ａ，３６ｂを結ぶ線上又はその近傍に位置されている。言い換えると、第１および第２の軸３６ａ，３６ｂは、カメラホルダー３１のベース板３２よりもカメラ４０の前面４０ａの方向にずれた位置に設けられ、カメラホルダー３１の回動支点がディスプレイマスク１６の方向に片寄っている。
【００４５】
回路部品４１は、カメラ４０の動作を制御するためのものであり、モジュール基板３９の実装面４６に半田付けされている。発光ダイオード４２は、モジュール基板３９の実装面４６に半田付けされている。発光ダイオード４２は、所望の色に点灯又は点滅することで、カメラ４０が動作中であることを表示する。
【００４６】
コネクタ４３は、実装面４６の長手方向に沿う他端に半田付け等の手段により実装されている。カメラハーネス４９がコネクタ４３に接続されている。カメラハーネス４９は、カメラモジュール３８を第２の筐体１０に収容されたプリント回路板に電気的に接続するためのものであって、表示モジュール１１とディスプレイカバー１７との間を通して配線されている。
【００４７】
図２および図４に示すように、ディスプレイマスク１６の第１の縁部２０ａは、カメラ実装領域２４に対応する位置にパネル取り付け部５０を備えている。パネル取り付け部５０は、カメラ実装領域２４に向けて凹んだ窪みで構成されている。
【００４８】
図７に示すように、パネル取り付け部５０の底は、ディスプレイマスク１６とディスプレイカバー１７とを組み合わせた時に、第１の支持部２５ａの突出端部に突き合わされて、嵌合孔２６ａの導入部２７ａを塞いでいる。
【００４９】
この結果、ディスプレイマスク１６のパネル取り付け部５０は、導入部２７ａから露出された軸受部材３０の外周面に接触して、軸受部材３０が嵌合孔２６ａの導入部２７ａから抜け出るのを防いでいる。
【００５０】
さらに、パネル取り付け部５０の底に通孔５１が設けられている。通孔５１は、カメラ４０および発光ダイオード４２と向かい合う細長い開口形状を有している。カメラ４０の前面４０ａは、通孔５１の内側に位置されている。
【００５１】
図２ないし図５に示すように、カメラパネル５３がパネル取り付け部５０に両面接着テープ５２を介して固定されている。カメラパネル５３は、パネル取り付け部５０の通孔５１を覆っているとともに、ディスプレイマスク１６の前面１９と同一の平面上に位置されている。
【００５２】
カメラパネル５３に、カメラ窓５５、表示窓５６およびレバー窓５７が設けられている。カメラ窓５５、表示窓５６およびレバー窓５７は、ディスプレイマスク１６の幅方向に間隔を存して一列に並んでいる。
【００５３】
カメラ窓５５は、カメラ４０の前面レンズ４７を第２の筐体１０の外に露出させる第２の開口部の一例であり、通孔５１を通じてカメラ４０の前面４０ａと向かい合っている。カメラ４０は、カメラ窓５５を通じてディスプレイマスク１６の前面１９から例えばポータブルコンピュータ１を操作するユーザの顔を撮像する。カメラ４０が撮像したユーザの顔は、表示モジュール１１の表示画面２１に映し出される。
【００５４】
このため、カメラ４０は、カメラ窓５５から第２の筐体１０の外の情報を取り入れる情報取得装置であると言い換えることができる。
【００５５】
表示窓５６は、発光ダイオード４２と向かい合っている。カメラ４０が動作している時に発光ダイオード４２が発する光は、表示窓５６から第２の筐体１０の外に放射される。これにより、ユーザは、カメラ４０が動作中であることを知ることができる。
【００５６】
レバー窓５７は、カメラホルダー３１のレバー部３７の移動方向に沿って延びる細長いスリット状である。レバー部３７の先端は、レバー窓５７からディスプレイマスク１６の前面１９の上に飛び出ている。
【００５７】
このため、レバー部３７の先端に指先を引っ掛けてレバー部３７を動かすことにより、カメラモジュール３８が固定されたカメラホルダー３１を第１の位置と第２の位置との間で例えば５〜１０°の範囲内で回動させることができる。
【００５８】
具体的には、表示部３が第２の回動位置に回動された時、レバー窓５７は、表示画面２１の上側で縦方向に延びている。図３は、レバー部３７の先端がレバー窓５７の中間部に位置されて、ディスプレイマスク１６の前面１９に対して直交した状態を示している。
【００５９】
この状態では、カメラ４０の前面４０ａは、表示画面２１と平行となるような位置関係にあり、カメラ４０の前面レンズ４７が表示画面２１と同じ方向を向いている。カメラ４０の前面レンズ４７が表示画面２１と同じ方向を向いているとは、図２に示すように、カメラ４０の視野Ｆの中心を通る線Ｆ１が表示画面２１と直交した状態にあることを指している。
【００６０】
図５は、レバー部３７の先端を指先で矢印の方向に押し下げて、レバー部３７の先端をレバー窓５７の下端に位置させた状態を示している。この状態では、カメラ４０が表示画面２１に対し下向きとなって、カメラ４０の視野Ｆの中心Ｆ１が表示部３の斜め下方を指向している。
【００６１】
さらに、レバー３７の先端を指先でレバー窓５７の上端に押し上げると、カメラ４０が表示画面２１に対し上向きとなって、カメラ４０の視野Ｆの中心線Ｆ１が表示部３の斜め上方を指向する。
【００６２】
レバー部３７の操作性を高めるため、レバー部３７の先端に滑り止め用の複数の刻み目を設けてもよい。さらに、レバー部３７の先端を円弧状に形成するとともに、円弧状に湾曲された周面に滑り止め用の複数の刻み目を設けてもよい。
【００６３】
図３、図５および図７に示すように、第２のゴムクッション５９がカメラパネル５３に取り付けられている。第２のゴムクッション５９は、表示窓５６の隣でカメラパネル５３から張り出している。カメラパネル５３に対する第２のゴムクッション５９の張り出し高さは、カメラパネル５３に対するレバー部３７の先端の突出高さよりも大きくすることが望ましい。
【００６４】
第２のゴムクッション５９は、表示部３を第２の回動位置から第１の回動位置に回動させた時にパームレスト５の前端部に突き当たる。これにより、カメラパネル５３とパームレスト５との間に僅かな隙間が確保されるとともに、この隙間内にレバー部３７の先端が収まる。したがって、レバー部３７の先端がパームレスト５に接することはなく、パームレスト５の傷付きを回避できる。
【００６５】
図６に示すように、アンテナ６０が第２の筐体１０に収容されている。アンテナ６０は、例えばＷ−ＬＡＮ用であり、カメラ実装領域２４と隣り合うようにディスプレイカバー１７の後壁１３に支持されている。アンテナ６０は、カメラモジュール３８のカメラ４０から離れている。これにより、カメラ４０がアンテナ６０に向かう電波を遮ることがなく、アンテナ６０の受信感度が良好となる。
【００６６】
このような構成のポータブルコンピュータ１において、第２の筐体１０のカメラ実装領域２４にカメラモジュール３８を取り付ける手順について説明する。
【００６７】
図８に示すように、ディスプレイカバー１７の後壁１３は、カメラ実装領域２４に対応する部位に第１および第２の支持部２５ａ，２５ｂを有している。本実施形態では、最初に第１の支持部の２５ａの嵌合孔２６ａに、ゴム状弾性体で構成された軸受部材３０を弾性的に嵌め込んで固定する。図９は、軸受部材３０を嵌合孔２６ａに嵌め込んだ状態を示している。軸受部材３０の外周面の一部は、導入部２７ａから第１の支持部２５ａの先端に露出されている。
【００６８】
この後、カメラホルダー３１の第１の軸３６ａを軸受部材３０の内側に弾性的に嵌め込むとともに、カメラホルダー３１の第２の軸３６ｂを第２の支持部２５ｂの導入部２７ｂから第２の嵌合孔２６ｂに嵌め込む。
【００６９】
これにより、図１０に示すように、カメラホルダー３１が第１の支持部２５ａと第２の支持部２５ｂとの間に支持されるとともに、第１および第２の軸３６ａ，３６ｂを中心として回動可能な状態に保持される。軸受部材３０は、第１の軸３６ａを径方向に弾性的に締め付けることで、第１の軸３６ａに軸回り方向に沿う制動力を付与している。
【００７０】
この結果、カメラホルダー３１の自由な回動が制限されて、カメラホルダー３１は所望の位置で停止された状態を維持している。
【００７１】
引き続いて、図１１に示すように、カメラホルダー３１のベース板３２の上にカメラモジュール３８のモジュール基板３９を載置する。この時、ベース板３２から突出されたピン状の突起３３をモジュール基板３９の通孔４４に合致させることで、ベース板３２とモジュール基板３９との間の位置合わせを実行する。さらに、ベース板３２から突出された係合爪３４をモジュール基板３９の側縁に引っ掛け、モジュール基板３９をベース板３２の上の定位置に保持する。
【００７２】
この後、ディスプレイカバー１７にディスプレイマスク１６を組み合せる。これにより、カメラホルダー３１およびカメラモジュール３８がディスプレイカバー１７およびディスプレイマスク１６で覆われる。
【００７３】
ディスプレイマスク１６とディスプレイカバー１７とを互いに組み合わせた状態では、図７に示すように、ディスプレイマスク１６のパネル取り付け部５０の底が軸受部材３０の外周面に接触して、軸受部材３０が嵌合孔２６ａの導入部２７ａから抜け出るのを防いでいる。
【００７４】
さらに、図１２に示すように、カメラ４０の前面レンズ４７および発光ダイオード４２が、夫々カメラパネル５３のカメラ窓５５および表示窓５６と合致して、表示部３の外に露出されている。それとともに、カメラホルダー３１から突出されたレバー部３７の先端がカメラパネル５３のレバー窓５７から突出されて、表示部３の外からポータブルコンピュータ１を操作するユーザが手で操作し得る状態に保たれている。
【００７５】
第１の実施形態において、例えばパーソナルコンピュータ１を利用してテレビ電話を始める時、ユーザは、表示部３を第１の回動位置から第２の回動位置に回動させて、表示画面２１を見易い角度に表示部３の起立角度αを調整する。
【００７６】
ユーザの顔を撮像するカメラ４０は、表示部３が第２の回動位置にある時、起立した表示画面２１の中央部から表示画面２１の上側にずれている。このため、表示画面２１が見易い位置となるように表示部３の起立角度αを調整した場合、起立角度αによってはカメラ４０の視野からユーザの顔が外れてしまうことがある。
【００７７】
言い換えると、表示画面２１が見易くなる表示部３の起立角度αとカメラ４０で撮像したい範囲とは必ずしも一致するとは限らない。そのため、カメラ４０で撮像したユーザの顔が表示画面２１の中央部に位置するように表示部３の起立角度αを調整すると、表示画面２１の向きが不適切となって逆に表示画面２１が見難くなることがあり得る。
【００７８】
第１の実施形態では、カメラモジュール３８を支持するカメラホルダー３１がディスプレイカバー１７に上下方向に回動可能に支持され、カメラホルダー３１を回動させるレバー部３７の先端がディスプレイマスク１６の前面１９に露出されている。
【００７９】
そのため、ユーザがレバー部３７を手の指先で動かしてカメラホルダー３１を上下方向に回動させれば、カメラ４０の向きを単独で調整することができる。すなわち、ユーザは、表示画面２１が見易くなる角度に表示部３の起立角度αを調整した後、自分の顔が表示画面２１に適切に映し出されるように、表示画面２１を見ながらレバー部３７を動かしてカメラ４０の向きを変更することができる。
【００８０】
この結果、カメラ４０を使用して自分の顔を撮像する時に、その都度、表示部３の起立角度αを変更したり、あるいは自分の顔がカメラ４０の視野内に位置するように顔の位置をずらすといった面倒な行為が不要となり、カメラ４０で自分の顔を映す操作を容易に行うことができる。
【００８１】
さらに、第１の実施形態によると、カメラモジュール３８は、表示モジュール１１と一緒に第２の筐体１０の内部に収容され、ディスプレイマスク１６とディスプレイカバー１７とで覆い隠されている。このため、カメラモジュール３８を覆う専用の外装部品が不要となり、カメラモジュール３８の構造を簡素化することができる。よって、ポータブルコンピュータ１の部品点数を削減でき、ポータブルコンピュータ１のコストの低減に寄与する。
【００８２】
加えて、カメラモジュール３８を支持するカメラホルダー３１は、軸受部材３０から常時制動力を受けている。このため、レバー部３７を動かしてカメラ４０の向きを変更した後、レバー部３７から手を離してもカメラホルダー３１が勝手に回動することはなく、カメラ４０の向きを固定的に定めることができる。
【００８３】
しかも、第１の実施形態では、カメラホルダー３１の第１の軸３６ａを支える軸受部材３０を摩擦係数が大きいゴム状弾性体で構成し、この軸受部材３０で第１の軸３６ａを径方向に弾性的に締め付けることで、カメラホルダー３１に制動力を付与している。このため、軸受部材３０が制動部品としての機能を兼ねており、カメラホルダー３１を所望の回動位置で停止させる専用の制動用部品が不要となる。
【００８４】
したがって、部品点数を少なく抑えることができ、この点でもポータブルコンピュータ１のコストの低減に寄与するといった利点がある。
【００８５】
第１の実施形態によると、カメラ４０の回動支点となる第１および第２の軸３６ａ，３６ｂがカメラホルダー３１のベース板３２よりもカメラ４０の前面４０ａの方向にずれた位置に設けられている。
【００８６】
この構成によれば、カメラモジュール３８が回動するにも拘らず、カメラ４０の前面４０ａがディスプレイマスク１６の通孔５１からカメラパネル５３に向けて張り出すのを防止できる。よって、カメラ４０の前面４０ａの変位量を少なく抑えて、カメラ４０とカメラパネル５３との干渉を回避することができる。
【００８７】
第１の実施形態によると、カメラモジュール３８は、表示部３が第２の回動位置に回動された時に、表示画面２１の上側に位置されている。しかしながら、カメラモジュール３８の位置は第１の実施形態に限らず、例えば表示部３が第２の回動位置に回動された時に、表示画面２１の右側、左側あるいは下側にカメラモジュール３８が位置するようにしてもよい。
【００８８】
さらに、カメラの数は一つ限らず、例えば二つのカメラを表示部の幅方向に並べて配置して、３Ｄ映像を得るようにしてもよい。
【００８９】
［第２の実施形態］
図１３ないし図１５は、第２の実施形態を開示している。
【００９０】
図１３は、例えばユーザが手で持って使用するスレートタイプのポータブルコンピュータ(Slate Portable Computer)７１を開示している。ポータブルコンピュータ７１は、フラットな筐体７２を備えている。筐体７２は、横長の矩形状であり、前壁７３、後壁７４および周壁７５を有している。
【００９１】
本実施形態によると、筐体７２は、前壁７３を含むトップカバー７６と、後壁７４および周壁７５を有するベース７７とで構成されている。
【００９２】
トップカバー７６は、第１のカバーの一例であり、四角い第１の開口部７８が設けられた前面７９を有している。前面７９は第１の面の一例であり、第１の開口部７８を取り囲む額縁８０を構成している。
【００９３】
額縁８０は、第１ないし第４の縁部８０ａ，８０ｂ，８０ｃ，８０ｄを備えている。第１の縁部８０ａは、第１の開口部７８の上側で筐体７２の幅方向に延びている。第２の縁部８０ｂは、第１の開口部７８の右側で筐体７２の高さ方向に延びている。第３の縁部８０ｃは、第１の開口部７８の左側で筐体７２の高さ方向に延びている。第４の縁部８０ｄは、第１の開口部７８の下側で筐体７２の幅方向に延びている。第１および第２の縁部８０ａ，８０ｄの全長は、第３および第４の端部８０ｂ，８０ｃの全長よりも長い。
【００９４】
ベース７７は、第２のカバーの一例であって、トップカバー７６と組み合わされている。ベース７７は、後壁７４および周壁７５を一体化したバスタブ型であり、継ぎ目のない立体構造を採用している。ベース７７の周壁７５の先端縁部は、トップカバー７６が嵌まり込む四角い嵌合口８１を形成している。ベース７７の後壁７４は、前壁７３および第１の開口部７８の反対側に位置されている。
【００９５】
図１３に示すように、表示装置としての表示モジュール８３が筐体７２の内部に収容されている。表示モジュール８３は、画像や映像を表示するフラットな表示画面８４を有している。表示画面８４は、トップカバー７６の第１の開口部７８から筐体７２の外に露出されている。
【００９６】
本実施形態においては、表示画面８４の上に手書き入力機能を有するタッチパネルを積層し、タッチパネルを第１の開口部７８から筐体７２の外に露出させてもよい。
【００９７】
図１５に示すように、カメラ実装領域８６が筐体７２の内部に設けられている。カメラ実装領域８６は、額縁８０の第３の縁部８０ｃとベース７７の後壁７４との間に規定されて、表示モジュール８３の左側に位置されている。
【００９８】
第１および第２の支持部８７ａ，８７ｂがカメラ実装領域８６に設けられている。第１および第２の支持部８７ａ，８７ｂは、カメラ実装領域８６に対応する後壁７４の内面からトップカバー７６に向けて突出されているとともに、筐体７２の高さ方向に互いに離れている。
【００９９】
第１および第２の支持部８７ａ，８７ｂは、夫々円形の嵌合孔８８を有している。嵌合孔８８は、ベース７７の高さ方向に同軸状に並んでいる。
【０１００】
第１の支持部８７ａと第２の支持部８７ｂとの間にカメラホルダー９０が配置されている。カメラホルダー９０は、前記第１の実施形態のカメラホルダー３１と同様の構成を有するため、第１の実施形態のカメラホルダー３１と同一の構成部分には、同一の参照符号を付してその説明を省略する。
【０１０１】
第２の実施形態によると、カメラホルダー９０は、第１および第２の支持部８７ａ，８７ｂの嵌合孔８８に垂直な軸線Ｏ１を中心として回動可能に支持されている。そのため、カメラホルダー９０は、カメラ実装領域８６で表示モジュール８３に向けて傾く第１の位置と、表示モジュール８３から遠ざかる方向に傾く第２の位置との間で例えば５〜１０°の範囲内で回動可能となっている。
【０１０２】
すなわち、カメラホルダー９０に設けられたレバー部３７を筐体７２に対し左右方向に動かすことで、カメラホルダー９０が第１の位置と第２の位置との間で回動するようになっている。
【０１０３】
図１５に示すように、カメラモジュール９１がカメラホルダー９０のベース板３２に取り付けられている。カメラモジュール９１は、カメラ実装領域８６に収容されて、トップカバー７６とベース７７とで覆い隠されている。
【０１０４】
カメラモジュール９１は、前記第１の実施形態のカメラモジュール３８と同様の構成を有するため、前記第１の実施形態のカメラモジュール３８と同一の構成部分には、同一の参照符号を付して、その説明を省略する。
【０１０５】
第２の実施形態によると、カメラモジュール９１は、筐体７２の高さ方向に沿うように縦置きの姿勢でカメラ実装領域８６に収容されており、そのカメラ４０が表示画面８４の中心を横切って表示画面８４の幅方向に水平に延びる中心線ＣＬの上に位置されている。
【０１０６】
さらに、カメラモジュール９１から引き出されたカメラハーネス４９は、ベース７７の後壁７４と表示モジュール８３との間を通して配線されて、図示しないプリント配線板に接続されている。
【０１０７】
図１４に示すように、トップカバー７６の額縁８０を構成する第３の縁部８０ｃにパネル取り付け孔９２が設けられている。パネル取り付け孔９２は、カメラ実装領域８６に開口されてカメラモジュール９１と向かい合っている。
【０１０８】
カメラパネル９３がパネル取り付け孔９２に取り付けられている。カメラパネル９３は、パネル取り付け孔９２を覆うとともに、トップカバー７６の前面７９と同一の平面上に位置されている。
【０１０９】
カメラパネル９３に、カメラ窓９５、表示窓９６およびレバー窓９７が設けられている。カメラ窓９５、表示窓９６およびレバー窓９７は、筐体７２の高さ方向に間隔を存して一列に並んでいる。
【０１１０】
カメラ窓９５は、カメラ４０の前面レンズ４７を筐体７２の外に露出させる第２の開口部の一例であり、カメラ４０の前面４０ａと向かい合っている。カメラ４０は、カメラ窓９５を通じてトップカバー７６の前面７９から例えばポータブルコンピュータ７１を操作するユーザの顔を撮像する。カメラ４０が撮像したユーザの顔は、表示モジュール８３の表示画面８４に映し出される。
【０１１１】
表示窓９６は、発光ダイオード４２と向かい合っている。カメラ４０が動作している時に発光ダイオード４２が発する光は、表示窓９６から筐体７２の外に放射される。これにより、ユーザは、カメラ４０が動作中であることを知ることができる。
【０１１２】
レバー窓９７は、カメラホルダー９０のレバー部３７の移動方向に沿って延びる細長いスリット状である。レバー部３７の先端は、レバー窓９７からトップカバー７６の前面７９の上に飛び出ている。このため、レバー部３７の先端に指先を引っ掛けてレバー部３７を動かすことにより、カメラモジュール９１が固定されたカメラホルダー９０を第１の位置と第２の位置との間で回動させることができる。
【０１１３】
このような第２の実施形態によると、レバー部３７を指先で動かしてカメラホルダー９０を垂直な軸線Ｏ１を中心に筐体７２の左右方向に回動させれば、カメラ４０の向きを単独で変更することができる。
【０１１４】
すなわち、スレートタイプのポータブルコンピュータ７１では、ユーザは、表示画面８４の中央部が顔の正面に向くような姿勢で筐体７２を手で把持する。この際、筐体７２に収容されたカメラモジュール９１は、表示モジュール８３の左側に位置されているため、カメラ４０が表示画面８４の中央部から左側にずれている。したがって、カメラ４０の前面レンズ４７が表示画面８４と同じ方向を向いていると、オペレータの顔の一部がカメラ４０の視野から外れることがいる。
【０１１５】
そのため、第２の実施形態では、表示画面８４の中央部を顔の正面に位置させた状態で、自分の顔が表示画面８４に適切に映し出されるように、表示画面８４を見ながらレバー部３７を動かしてカメラ４０の向きを変更する。
【０１１６】
この結果、カメラ４０を使用して自分の顔を撮像する時に、その都度、筐体７２の位置をずらしたり、筐体７２を傾けるといった面倒な行為が不要となり、カメラ４０で自分の顔を映す操作を容易に行うことができる。
【０１１７】
加えて、カメラモジュール９１は、表示モジュール８３と一緒に筐体７２の内部に収容されて、トップカバー７６とベース７７とで覆い隠されている。このため、カメラモジュール９１を覆う専用の外装部品が不要となり、カメラモジュール９１の構造を簡素化することができる。よって、ポータブルコンピュータ７１の部品点数を削減でき、ポータブルコンピュータ７１のコストの低減に寄与するといった利点がある。
【０１１８】
第１および第２の実施形態では、ノート型およびスレートタイプのポータブルコンピュータを電子機器の一例として説明したが、電子機器はポータブルコンピュータに限定されるものではない。例えば、携帯電話、スマートフォン、ＰＤＡ(Personal Digital Assistant)あるいは携帯型のゲーム機のようなその他の電子機器に広く適用が可能である。
【０１１９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２０】
４…第１の筐体、１０，７２…筐体（第２の筐体）、１１，８３…表示モジュール（表示装置）、１６，７６…第１のカバー（ディスプレイマスク、トップカバー）、１７，７７…第２のカバー（ディスプレイカバー、ベース）、１８，７８…第１の開口部、１９，７９…第１の面（前面）、３１，９０…ホルダー（カメラホルダー）、３７…レバー部（操作部、突出部）、３８，９１…カメラモジュール、４０…カメラ（情報取得装置）、５５，９５…第２の開口部（カメラ窓）。
【図１】
2015038655.tif 000003
【図２】
2015038655.tif 000004
【図３】
2015038655.tif 000005
【図４】
2015038655.tif 000006
【図５】
2015038655.tif 000007
【図６】
2015038655.tif 000008
【図７】
2015038655.tif 000009
【図８】
2015038655.tif 000010
【図９】
2015038655.tif 000011
【図１０】
2015038655.tif 000012
【図１１】
2015038655.tif 000013
【図１２】
2015038655.tif 000014
【図１３】
2015038655.tif 000015
【図１４】
2015038655.tif 000016
【図１５】
2015038655.tif 000017
【手続補正書】
【提出日】平成24年5月21日(2012.5.21)
【手続補正１】
【補正対象書類名】特許請求の範囲
【補正対象項目名】全文
【補正方法】変更
【補正の内容】
【特許請求の範囲】
【請求項１】
開口部が設けられた第１の面を有する第１のカバーと、前記第１のカバーと組み合された第２のカバーと、前記第２のカバーの内面から前記第１のカバーに向けて突出されるとともに嵌合孔が設けられた支持部と、を含む筐体と、
前記筐体に収容され、前記開口部から露出された表示画面を有する表示モジュールと、
前記筐体に収容され、前記支持部の前記嵌合孔に導入される軸を有するとともに、当該軸を支点として前記表示モジュールの周囲で前記表示モジュールに向けて傾く第１の位置と、前記表示モジュールから遠ざかる方向に傾く第２の位置との間で回動可能に前記筐体に支持されたホルダーと、
前記ホルダーと一緒に回動するように前記ホルダーに固定され、前記第１のカバーと前記第２のカバーとで覆われるとともに、前記筐体の前記第１の面から前記筐体の外を撮像するカメラと、
前記支持部の前記嵌合孔に取り付けられ、前記ホルダーの前記軸が嵌合されるとともに前記軸を弾性的に締め付けて当該軸に制動力を付与することで、前記ホルダーの自由な回動を制限する軸受部材と、
前記ホルダーに設けられ、前記第１のカバーを貫通して前記筐体の外に突出されるとともに、前記カメラが少なくとも前記表示モジュールの方向を向くように前記ホルダーを人為的に回動させるレバー部と、
を具備する電子機器。  
【請求項２】
請求項１の記載において、前記嵌合孔は、前記第１のカバーに向けて開口された導入部を有し、前記軸受部材の外周面の一部が前記導入部から露出されているとともに、前記軸受部材は、前記第１のカバーと前記第２のカバーとを互いに組み合わせた時に、前記第１のカバーで前記嵌合孔に保持された電子機器。
【請求項３】
請求項１の記載において、前記カメラは、撮像時の視野を定めるレンズが露出された前面を有し、前記カメラの前記前面が前記第１のカバーの前記第１の面よりも前記筐体の内側に引っ込んだ電子機器。
【請求項４】
請求項３の記載において、前記ホルダーは、前記カメラが固定されたベース板を有し、前記ホルダーの前記軸は、前記ベース板よりも前記カメラの前記前面の方向にずれた電子機器。
【請求項５】
第１の筐体と、
表示画面を有し、前記表示画面が前記第１の筐体で覆われる第１の回動位置と、前記表示画面が前記第１の筐体から外れる第２の回動位置との間で回動可能に前記第１の筐体に接続された第２の筐体であって、前記表示画面を露出させる開口部が設けられた第１の面を有する第１のカバーと、前記第１のカバーと組み合された第２のカバーと、前記第２のカバーの内面から前記第１のカバーに向けて突出されるとともに嵌合孔が設けられた支持部と、を含む第２の筐体と、
前記第２の筐体に収容され、前記支持部の前記嵌合孔に導入される軸を有するとともに、当該軸を支点として前記表示画面の周囲で回動可能なホルダーと、
前記ホルダーに固定され、前記第１のカバーと前記第２のカバーとで覆われるとともに、前記筐体の前記第１の面から前記筐体の外を撮像するカメラと、
前記支持部の前記嵌合孔に取り付けられ、前記ホルダーの前記軸が嵌合されるとともに前記軸を弾性的に締め付けて当該軸に制動力を付与することで、前記ホルダーの自由な回動を制限する軸受部材と、
前記第２の筐体の前記第１の面に設けられ、前記カメラが少なくとも前記表示画面の方向を向くように前記ホルダーを人為的に回動させて前記カメラの向きを変更する操作部と、
を具備する電子機器。  
【請求項６】
第１の開口部および第２の開口部が設けられた筐体と、
前記筐体に収容され、前記第１の開口部から露出された表示画面を有する表示装置と、
前記筐体に収容され、軸を支点として前記表示装置の周囲で回動可能なホルダーと、
前記ホルダーと一緒に回動するように前記筐体に収容され、前記第２の開口部を介して前記筐体の外の情報を取得する情報取得装置と、
前記ホルダーの前記軸が嵌合されるとともに前記軸を弾性的に締め付けて当該軸に制動力を付与することで、前記ホルダーの自由な回動を制限する軸受部材と、
前記ホルダーから前記筐体の外に突出され、前記情報取得装置が前記表示装置の方向を向くように前記ホルダーを人為的に回動させて前記情報取得装置の向きを前記筐体の外から操作可能な突出部と、
を具備した電子機器。
【請求項７】
請求項６の記載において、前記筐体は、前記第１の開口部および前記第２の開口部が開口された面を有する電子機器。
【手続補正２】
【補正対象書類名】明細書
【補正対象項目名】０００８
【補正方法】変更
【補正の内容】
【０００８】
実施形態によれば、電子機器は、筐体、表示モジュール、ホルダーおよびカメラを具備している。筐体は、開口部が設けられた第１の面を有する第１のカバーと、第１のカバーと組み合された第２のカバーと、第２のカバーの内面から第１のカバーに向けて突出されるとともに嵌合孔が設けられた支持部と、を含んでいる。表示モジュールは、筐体に収容されているとともに、開口部から露出された表示画面を有する。ホルダーは、筐体に収容されているとともに、支持部の嵌合孔に導入される軸を有し、当該軸を支点として表示モジュールの周囲で表示モジュールに向けて傾く第１の位置と、表示モジュールから遠ざかる方向に傾く第２の位置との間で回動可能に筐体に支持されている。カメラは、ホルダーと一緒に回動するようにホルダーに固定されて、第１のカバーと第２のカバーとで覆われるとともに、筐体の第１の面から筐体の外を撮像する。支持部の嵌合孔に軸受部材が取り付けられている。軸受部材は、ホルダーの軸が嵌合されるとともに、軸を弾性的に締め付けて当該軸に制動力を付与することで、ホルダーの自由な回動を制限する。さらに、ホルダーにレバー部が設けられている。レバー部は、第１のカバーを貫通して筐体の外に突出されるとともに、カメラが少なくとも表示モジュールの方向を向くようにホルダーを人為的に回動させる。
【手続補正３】
【補正対象書類名】明細書
【補正対象項目名】０１１９
【補正方法】変更
【補正の内容】
【０１１９】
本発明のいくつかの実施形態を説明したが、これらの実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
[１] 開口部が設けられた第１の面を有する第１のカバーと、前記第１のカバーと組み合された第２のカバーと、を含む筐体と、
前記筐体に収容され、前記開口部から露出された表示画面を有する表示モジュールと、
前記筐体に収容され、前記第１のカバーと前記第２のカバーとで覆われるとともに、前記筐体の前記第１の面から前記筐体の外を撮像するカメラと、
前記カメラが固定され、前記表示モジュールの周囲で前記表示モジュールに向けて傾く第１の位置と、前記表示モジュールから遠ざかる方向に傾く第２の位置との間で回動可能に前記筐体に支持されたホルダーと、
前記筐体の前記第１の面に設けられ、前記カメラが少なくとも前記表示モジュールの方向を向くように前記ホルダーを回動させるレバー部と、
を具備する電子機器。
[２] [１]の記載において、前記レバー部は、前記ホルダーに設けられているとともに、前記レバー部の先端が前記第１のカバーを貫通して前記第１の面の外に露出された電子機器。
[３] [２]の記載において、前記筐体は、前記ホルダーの回動支点となる軸を支える支持部を有し、前記軸と前記支持部との間に、前記ホルダーの自由な回動を制限する軸受部材が介在された電子機器。
[４] [３]の記載において、前記支持部は、前記第２のカバーの内面から前記第１のカバーに向けて突出され、前記支持部の突出端部に前記軸受部材が嵌まるように前記第１のカバーに向けて開口された嵌合孔が設けられ、前記嵌合孔に嵌合された前記軸受部材は、前記第１のカバーと前記第２のカバーとを互いに組み合わせた時に、前記第１のカバーで前記嵌合孔に保持された電子機器。
[５] [３]の記載において、前記カメラは、撮像時の視野を定めるレンズが露出された前面を有し、前記カメラの前記前面が前記第１のカバーの前記第１の面よりも前記筐体の内側に引っ込んだ電子機器。
[６] [５]の記載において、前記ホルダーは、前記カメラが固定されたベース板を有し、前記ホルダーの前記軸は、前記ベース板よりも前記カメラの前記前面の方向にずれた電子機器。
[７] 第１の筐体と、
表示画面を有し、前記表示画面が前記第１の筐体で覆われる第１の回動位置と、前記表示画面が露出される第２の回動位置との間で回動可能に前記第１の筐体に接続された第２の筐体であって、前記表示画面を露出させる開口部が設けられた第１の面を有する第１のカバーと、前記第１のカバーと組み合された第２のカバーと、を含む第２の筐体と、
前記第２の筐体に収容され、前記第１のカバーと前記第２のカバーとで覆われるとともに、前記第１の面から前記筐体の外を撮像するカメラと、
前記第２の筐体の前記第１の面に設けられ、前記カメラが少なくとも前記表示画面の方向を向くように前記カメラの向きを変更する操作部と、
を具備する電子機器。
[８] 第１の開口部および第２の開口部が設けられた筐体と、
前記筐体に収容され、前記第１の開口部から露出された表示画面を有する表示装置と、
前記筐体に収容され、前記第２の開口部を介して前記筐体の外の情報を取得する情報取得装置と、
前記筐体の外に突出され、前記情報取得装置が少なくとも前記表示装置の方向を向くように前記情報取得装置の位置を上記筐体の外から操作可能な操作部と、
を具備した電子機器。
[９] [８]の記載において、前記筐体は、前記第１の開口部および前記第２の開口部が開口された面を有する電子機器。
【手続補正４】
【補正対象書類名】明細書
【補正対象項目名】０１２０
【補正方法】変更
【補正の内容】
【０１２０】
４…第１の筐体、１０，７２…筐体（第２の筐体）、１１，８３…表示モジュール（表示装置）、１６，７６…第１のカバー（ディスプレイマスク、トップカバー）、１７，７７…第２のカバー（ディスプレイカバー、ベース）、１８，７８…第１の開口部、１９，７９…第１の面（前面）、２１…表示画面、２５ａ…支持部（第１の支持部）、２６ａ…嵌合孔、３０…軸受部材、３１，９０…ホルダー（カメラホルダー）、３６ａ…軸（第１の軸）、３７…レバー部（操作部、突出部）、３８，９１…カメラモジュール、４０…カメラ（情報取得装置）、５５，９５…第２の開口部（カメラ窓）。